(57)【要約】【課題】  振動数を正確に制御して機械式携帯型時計又はムーブメントのレートを調整する。【解決手段】  公称振動数Ｎ０で振動を発生させるように構成している携帯型時計の基本発振器のレートを調整する方法である。マスター発振器がこの公称振動数Ｎ０の整数倍とほぼ等しい励起振動数ＮＥを発生させる。マスター発振器は、遷移段階の間に、携帯型時計を励起又は変調運動に従わせ、この遷移段階の後に、基本発振器が励起振動数ＮＥで安定化される。また、ディスプレー状態訂正方法は、機械式ないし自動式携帯型時計のためのワインダーを用いる。このワインダーは、ディスプレー状態訂正段階の間に、携帯型時計を担持している支持体を動かし、この基本発振器の初期のレート偏差量ＤＩよりも小さいレート偏差量を有し、訂正振動数ＮＣで振動して、携帯型時計に対して振動又は運動を与える。ディスプレー状態訂正段階の持続時間は、初期の発動の時点において測定されたディスプレー状態のエラーを正確に訂正するように調整される。【選択図】  図７
2018200309.tif 000002
【特許請求の範囲】
【請求項１】
携帯型時計又はムーブメントのディスプレー状態を訂正する方法であって、
前記携帯型時計又はムーブメントは、公称振動数Ｎ０で振動を発生させるように構成している少なくとも１つの基本発振器を有し、
当該方法は、当該ディスプレー状態訂正デバイスの発動の初期の時点の後のディスプレー状態訂正段階の間に、訂正振動数ＮＣで振動を発生させて、前記携帯型時計又はムーブメント全体に振動及び／又は運動を与えるように構成しているディスプレー状態訂正発振器を有するディスプレー状態訂正デバイスを用い、
前記ディスプレー状態訂正段階の持続期間は、前記発動の初期の時点において前記携帯型時計又はムーブメントに対して測定ないし評価されたディスプレー状態のエラーを正確に訂正するように調整され、
前記基本発振器の前記初期のレート偏差量ＤＩが測定され、
当該方法は、前記初期のレート偏差量ＤＩよりも小さい基準に対するレート偏差量を有するディスプレー状態訂正発振器を有するディスプレー状態訂正デバイスを用い、
前記ディスプレー状態訂正デバイスは、前記携帯型時計又はムーブメントが少なくとも１つ固定された支持体を少なくとも１つ動かすように構成している、機械式ないし自動式携帯型時計用のワインダーを有する
ことを特徴とする方法。
【請求項２】
携帯型時計又はムーブメントのレートを調整しディスプレー状態を訂正する方法であって、
前記携帯型時計又はムーブメントは、公称振動数Ｎ０で振動を発生させるように構成している少なくとも１つの基本発振器を有し、
当該方法は、公称振動数Ｎ０又はその整数倍と等しい又はほぼ等しい励起振動数ＮＥで励起振動を発生させるように構成しているマスター発振器を有するサーボデバイスを用い、
前記携帯型時計又はムーブメント全体は、少なくとも遷移段階の間に、前記サーボデバイスの発動の初期の時点の後に、前記マスター発振器が発生させる励起振動及び／又は前記マスター発振器が発生させる変調された運動に従い、前記遷移段階の終わりにて前記携帯型時計又はムーブメントの発振器の振動数が前記振動数ＮＥで安定化され、
請求項１に記載の方法を実行し、
前記ディスプレー状態訂正段階と前記遷移段階は、少なくとも部分的に一方が他方の後に続けて実行される
ことを特徴とする方法。
【請求項３】
携帯型時計又はムーブメントのディスプレー状態を訂正するディスプレー状態訂正デバイスであって、
前記携帯型時計又はムーブメントは、公称振動数Ｎ０に対して初期のレート偏差量ＤＩがあるような振動数で振動を発生させるように構成している少なくとも１つの基本発振器を有し、
当該ディスプレー状態訂正デバイスは、訂正振動数ＮＣで振動を発生させるように構成しているディスプレー状態訂正発振器を有し、
前記ディスプレー状態訂正デバイスは、前記携帯型時計又はムーブメント全体を前記マスター発振器が発生させる振動及び／又は前記ディスプレー状態訂正発振器が発生させる変調運動に従わせるように構成しており、
前記ディスプレー状態訂正デバイスは、前記ディスプレー状態訂正発振器の振動を制御するように構成している制御手段を有しており、この制御手段は、前記ディスプレー状態訂正デバイスが備える前記携帯型時計又はムーブメントの状態を測定する手段と接続している
ことを特徴とするデバイス。
【請求項４】
前記携帯型時計又はムーブメントの状態を測定する手段は、光学的なビジョン及び画像処理手段である
ことを特徴とする請求項３に記載のデバイス。
【請求項５】
当該ディスプレー状態訂正デバイスは、前記ディスプレー状態訂正発振器の振動を制御するように構成している制御手段を有しており、この制御手段は、ディスプレーされる時間又は状態偏差についてのユーザーによる手動エントリーの手段と接続している
ことを特徴とする請求項３に記載のデバイス。
【請求項６】
当該ディスプレー状態訂正デバイスは、携帯型時計又はムーブメントを受ける少なくとも１つの支持体を備える機械式又自動式携帯型時計用の自動ワインダーを有し、
当該ディスプレー状態訂正デバイスは、前記支持体において、前記携帯型時計又はムーブメント全体を前記ディスプレー状態訂正発振器が発生させる振動に従わせるように構成している励起手段、及び／又は前記携帯型時計又はムーブメント全体を前記ディスプレー状態訂正発振器が発生させる変調運動に従わせるように構成している駆動手段を有する
ことを特徴とする請求項３に記載のデバイス。
【請求項７】
携帯型時計又はムーブメントのレートを調整しディスプレー状態を訂正するレート調整及びディスプレー状態訂正デバイスであって、
前記携帯型時計又はムーブメントは、公称振動数Ｎ０に対して初期のレート偏差量ＤＩがあるような振動数で振動を発生させるように構成している少なくとも１つの基本発振器を有し、
当該レート調整及びディスプレー状態訂正デバイスは、携帯型時計又はムーブメントのレートを調整する少なくとも１つのサーボデバイスを有し、
前記携帯型時計又はムーブメントは、公称振動数Ｎ０に対して初期のレート偏差量ＤＩがあるような振動数で振動を発生させるように構成している少なくとも１つの基本発振器を有し、
前記サーボデバイスは、公称振動数Ｎ０又はその整数倍と等しく又はほぼ等しい振動数に対して初期のレート偏差量ＤＩよりも小さい基準に対するマスターレート偏差量ＡＭがあるような励起振動数ＮＥで励起振動を発生させるように構成しているマスター発振器を有し、
前記サーボデバイスは、前記携帯型時計又はムーブメント全体を前記マスター発振器が発生させる励起振動及び／又は前記マスター発振器が発生させる変調運動に従わせるように構成しており、
当該レート調整及びディスプレー状態訂正デバイスは、請求項３に記載のディスプレー状態訂正デバイスを少なくとも１つ、及びメイン制御手段を有し、
前記メイン制御手段は、前記マスター発振器の励起振動を制御するように構成しており、前記少なくとも１つのサーボデバイスが備える前記携帯型時計又はムーブメントのレート偏差を測定する手段に接続されており、前記ディスプレー状態訂正発振器の振動を制御するように構成しており、前記少なくとも１つのディスプレー状態訂正デバイスが備える前記携帯型時計又はムーブメントの状態を測定する手段と接続している
ことを特徴とするデバイス。
【請求項８】
携帯型時計又はムーブメントのレートを調整する少なくとも１つのサーボデバイスを有する携帯型時計又はムーブメントの相互連携機能付きの支持デバイスであって、
前記携帯型時計又はムーブメントは、公称振動数Ｎ０に対して初期のレート偏差量ＤＩがあるような振動数で振動を発生させるように構成している少なくとも１つの基本発振器を有し、
前記サーボデバイスは、公称振動数Ｎ０又はその整数倍と等しく又はほぼ等しい振動数に対して初期のレート偏差量ＤＩよりも小さい基準に対するマスターレート偏差量ＡＭがあるような励起振動数ＮＥで励起振動を発生させるように構成しているマスター発振器を有し、
前記サーボデバイスは、前記携帯型時計又はムーブメント全体を前記マスター発振器が発生させる励起振動及び／又は前記マスター発振器が発生させる変調運動に従わせるように構成しており、
当該相互連携機能付きの支持デバイスは、前記サーボデバイスに従うすべての携帯型時計又はムーブメントを同じレート偏差量に調整する中央レート制御手段を有し、
当該相互連携機能付きの支持デバイスは、請求項３に記載のディスプレー状態訂正デバイスを少なくとも１つ有し、
当該相互連携機能付きの支持デバイスは、前記ディスプレー状態訂正デバイスに従うすべての携帯型時計又はムーブメントを同じ状態値に調整する中央状態制御手段を有する
ことを特徴とするデバイス。
【請求項９】
当該相互連携機能付きの支持デバイスは、前記中央レート制御手段及び前記中央状態制御手段を形成又は調整するメイン制御手段を有する
ことを特徴とする請求項８に記載のデバイス。
【請求項１０】
当該相互連携機能付きの支持デバイスは、携帯型時計又はムーブメントを受ける少なくとも１つの支持体が固定された、機械式ないし自動式携帯型時計用の少なくとも１つの自動ワインダーを有する
ことを特徴とする請求項８に記載のデバイス。
【請求項１１】
前記相互連携機能付きの支持デバイスは、携帯型時計及び／又はムーブメントを公衆にディスプレーするディスプレーユニットである
ことを特徴とする請求項８に記載のデバイス。
【請求項１２】
公称振動数Ｎ０に対して初期のレート偏差量ＤＩがあるような振動数で振動を発生させるように構成している少なくとも１つの基本発振器を有する携帯型時計であって、
当該携帯型時計は、携帯型時計又はムーブメントのレートを調整する少なくとも１つのサーボデバイスを有する携帯型時計用バンドを有し、
前記携帯型時計又はムーブメントは、公称振動数Ｎ０に対して初期のレート偏差量ＤＩがあるような振動数で振動を発生させるように構成している少なくとも１つの基本発振器を有し、
前記サーボデバイスは、公称振動数Ｎ０又はその整数倍と等しく又はほぼ等しい振動数に対して初期のレート偏差量ＤＩよりも小さい基準に対するマスターレート偏差量ＡＭがあるような励起振動数ＮＥで励起振動を発生させるように構成しているマスター発振器を有し、
前記サーボデバイスは、前記携帯型時計又はムーブメント全体を前記マスター発振器が発生させる励起振動及び／又は前記マスター発振器が発生させる変調運動に従わせるように構成しており、
当該携帯型時計用バンドは、請求項３に記載のディスプレー状態訂正デバイスを少なくとも１つ有する
ことを特徴とする携帯型時計。
【請求項１３】
当該携帯型時計は、そのプレートを公称振動数Ｎ０又はその整数倍で共振させる手段を有する
ことを特徴とする請求項１２に記載の携帯型時計。
【請求項１４】
請求項３に記載のディスプレー状態訂正デバイスを使用する方法であって、
前記ディスプレー状態訂正デバイスは、公称振動数Ｎ０又はその整数倍の振動数に対して基準に対するマスターレート偏差量があるような振動数で励起振動を発生させるように構成しているマスター発振器と、及び訂正振動数ＮＣで振動を発生させて携帯型時計又はムーブメントの状態を訂正するように構成しているディスプレー状態訂正発振器とを用い、
前記携帯型時計又はムーブメントは、前記携帯型時計又はムーブメントの状態の必要な訂正を行うために十分な持続時間の間、前記携帯型時計又はムーブメント全体を前記ディスプレー状態訂正発振器が発生させる振動及び／又は前記ディスプレー状態訂正発振器が発生させる変調運動に従わせることによって、前記公称振動数Ｎ０に対して前記マスター値ＡＭよりも大きい初期のレート偏差量ＤＩがあるような振動数で振動を発生させるように構成している少なくとも１つの基本発振器を用いる
ことを特徴とする方法。
【請求項１５】
当該レート調整及びディスプレー状態訂正デバイスは、携帯型時計又はムーブメントを調整するために、公称振動数Ｎ０又はその整数倍と等しい又はほぼ等しい振動数に対して基準に対するマスターレート偏差量ＡＭがあるような励起振動数ＮＥで励起振動を発生させるように構成しているマスター発振器を有し、
前記携帯型時計又はムーブメントは、前記マスター値ＡＭ以下であるか又はほぼ等しいレート偏差の差で前記携帯型時計又はムーブメントの発振器のレート偏差が安定化するために十分な持続時間の間、前記携帯型時計又はムーブメント全体を前記マスター発振器が発生させる励起振動及び／又は前記マスター発振器が発生させる変調運動に従わせることによって、前記公称振動数Ｎ０に対して前記マスター値ＡＭよりも大きい初期のレート偏差量ＤＩがあるような振動数で振動を発生させるように構成している少なくとも１つの基本発振器を有し、
当該レート調整及びディスプレー状態訂正デバイスは、前記携帯型時計又はムーブメントの状態の必要な訂正を行うために十分な持続時間の間、前記携帯型時計又はムーブメント全体をディスプレー状態訂正発振器が発生させる振動及び／又は前記ディスプレー状態訂正発振器が発生させる変調運動に従わせることによって、前記携帯型時計の状態を訂正するために訂正振動数ＮＣで振動を発生させるように構成しているディスプレー状態訂正発振器を有する
ことを特徴とする請求項７に記載のデバイス。
【請求項１６】
携帯型時計又はムーブメントを受ける少なくとも１つの支持体を用いて、機械式ないし自動式携帯型時計のための自動ワインダーを使用する方法であって、
少なくとも１つの携帯型時計又はムーブメント全体を、携帯型時計又はムーブメントを調整するために、公称振動数Ｎ０又はその整数倍と等しい又はほぼ等しい振動数に対して基準に対するマスターレート偏差量ＡＭがあるような励起振動数ＮＥで励起振動を発生させるように構成しているマスター発振器が発生させる励起振動に従わせ、
前記携帯型時計又はムーブメントは、前記携帯型時計又はムーブメントの状態の必要な訂正を行うために十分な持続時間の間、前記携帯型時計又はムーブメント全体を前記マスター発振器が発生させる励起振動及び／又は前記マスター発振器が発生させる変調運動に従わせることによって、前記公称振動数Ｎ０に対して前記マスター値ＡＭよりも大きい初期のレート偏差量ＤＩがあるような振動数で振動を発生させるように構成している少なくとも１つの基本発振器を用い、
前記レート調整及びディスプレー状態訂正デバイスは、前記携帯型時計又はムーブメントの状態の必要な訂正を行うために十分な持続時間の間、携帯型時計又はムーブメント全体をディスプレー状態訂正発振器が発生させる訂正振動及び／又はディスプレー状態訂正発振器が発生させる変調運動に従わせることによって、携帯型時計の状態を訂正するために訂正振動数ＮＣで振動を発生させるように構成しているディスプレー状態訂正発振器を用いる
ことを特徴とする方法。
【発明の詳細な説明】
【技術分野】
【０００１】
本発明は、公称振動数で振動を発生させるように構成している少なくとも１つの基本発振器を有する腕時計、懐中時計を含む携帯型時計又はムーブメントのディスプレー状態を訂正する方法に関する。
【０００２】
本発明は、さらに、公称振動数で振動を発生させるように構成している少なくとも１つの基本発振器を有する携帯型時計又はムーブメントのレートを調整しディスプレー状態を訂正する方法に関する。
【０００３】
本発明は、公称振動数で振動を発生させるように構成している少なくとも１つの基本発振器を有する携帯型時計又はムーブメントのディスプレー状態を訂正するディスプレー状態訂正デバイスに関する。
【０００４】
本発明は、公称振動数で振動を発生させるように構成している少なくとも１つの基本発振器を有する携帯型時計又はムーブメントのレートを調整しディスプレー状態を訂正するデバイスに関する。
【０００５】
本発明は、携帯型時計又はムーブメントをインタラクティブに訂正する相互連携機能付きの支持デバイスに関する。
【０００６】
本発明は、公称振動数で振動を発生させるように構成している少なくとも１つの基本発振器を有する携帯型時計又はムーブメントに関する。
【０００７】
本発明は、公称振動数又はその整数倍に等しい又はほぼ等しい励起振動数で励起振動を発生させるように構成しているマスター発振器と、及び訂正振動数で訂正振動を発生させて前記公称振動数で振動を発生させるように構成している少なくとも１つの基本発振器を有する携帯型時計又はムーブメントのディスプレー状態を訂正するように構成しているディスプレー状態訂正発振器とを用いる、ディスプレー状態訂正デバイスを使用する方法に関する。
【０００８】
本発明は、携帯型時計又はムーブメントのレートを調整しディスプレー状態を訂正するデバイスを使用する方法に関し、この携帯型時計又はムーブメントは、公称振動数に対して初期のレート偏差量があるような振動数で振動を発生させるように構成している少なくとも１つの基本発振器を用いる。このレート調整及びディスプレー状態訂正デバイスは、公称振動数又はその整数倍と等しい又はほぼ等しい振動数に対して基準に対するマスターレート偏差量があるような励起振動数で励起振動を発生させるように構成しているマスター発振器を用いる。このレート調整及びディスプレー状態訂正デバイスは、さらに、携帯型時計又はムーブメントのレートを調整しディスプレー状態を訂正するために、訂正振動数で訂正振動を発生させるように構成しているディスプレー状態訂正発振器を用い、携帯型時計又はムーブメントは、前記公称振動数で振動を発生させるように構成している少なくとも１つの基本発振器を用いる。
【０００９】
本発明は、さらに、携帯型時計又はムーブメントを受ける少なくとも１つの支持体を用いて、少なくとも１つの携帯型時計又はムーブメント全体をマスター発振器が発生させる励起振動に従わせる、機械式ないし自動式携帯型時計のための自動ワインダーを使用する方法に関する。このマスター発振器は、公称振動数又はその整数倍と等しい又はほぼ等しい振動数に対して基準に対するマスターレート偏差量があるような励起振動数で励起振動を発生させるように構成している。
【背景技術】
【００１０】
携帯型時計又はムーブメントのレート、特に、１日当たりのレート偏差量、を制御することは、すべての携帯型時計の設計者が目標とすることとなっている。
【００１１】
特に認証されていない標準的な機械式携帯型時計又はムーブメントの最大の１日当たりのレート偏差は、１日当たり５〜１０秒のオーダーである。これは、遅れている場合もあれば進んでいる場合もある。
【００１２】
巧妙に作られた機械式携帯型時計又はムーブメント、特に、クロノメーター認証されたもの、の最大の１日当たりのレート偏差は、１日当たり２〜５秒である。
【００１３】
非常に巧妙に作られた機械式携帯型時計（又はムーブメント）、例えば、クロノメーター競技のために準備されたもの、の最大の１日当たりのレート偏差は、１日当たり１秒のオーダーである。
【００１４】
レート偏差は、特に、バレルのアンワインドのレベルに応じて変動する。また、例えば、環境、温度、湿度などの偏差、様々な可動部品の磨耗、時間にわたっての潤滑剤の劣化、そしてもちろん、重力場における携帯型時計のポジションに応じても変動する。
【００１５】
レートを制御することに加えて、ディスプレー状態のエラーを制御することも関心事である。
【００１６】
自動ワインダーは、機械式、自動式又は手動式の携帯型時計を巻くように設計されている。これは、携帯型時計のレート又は状態のいずれかを訂正せずに、回転錘を単純に動かしたり竜頭を回転させたりしてバレルを巻き直す。このようなワインダーにユーザーが長い間自身の携帯型時計を置いておくと、ディスプレーされる時間が、連続的かつ制御されない形態でずれる。
【００１７】
ブレゲは、特定の携帯型時計又はムーブメントを有する「シンパセティック」振り子を作った。これは、基準としてはたらく振り子に関連づけられており、振り子に保持されるように構成しており、夜の１２時と正午に振り子によって動かされる携帯型時計の針を携帯型時計の制御ステムによってリセットする機構を備える。
【００１８】
以下のような様々な科学的な論文が、２つのクロックの間の同期ないしシンパシーに言及している。
−  H.M. Oliveira et al.: "Huygens synchronization of two clocks", Scientific Reports, vol.5, No.1, 23 July 2015, XP055418276, DOI:10.1038/srep11548; page 9, §experimental, Figures 4, 7H. Wallman: "Hit-or-miss synchronization to atomic time", Horological Journal. Ashford, GB, Vol.134, No.1, 1 July 1991, pages 26-27, XP000214989, ISSN: 0018-5108, pages 1-2, Figures 2-3
−  J.P. Ramirez et al.: "The sympathy of two pendulum clocks: beyond Huygens’ observations", Scientific Reports, Vol.6, No.1, 29 March 2016, XP055418277, DOI: 10.1038/srep23580, page 3, §experimental, Figures 3-6
【００１９】
WH Shorttによる英国特許ＧＢ１８７８１４Ａは、電気的パルスによって別の振り子クロックと同期している振り子クロックについて記載している。この電気的パルスは、スレーブ振り子が所定値を超えて遅れるとすぐにそのスレーブ振り子に関連づけられたデバイスを動作させるように用いられる。
【００２０】
SEIKOによる日本国特許出願ＪＰＳ５５６７６８５Ａは、所定の音に対応する信号とともに受信手段として音生成手段を用いることによって、アラーム機能付き携帯型時計のレートを再較正する構成について記載している。
【００２１】
R Goderによるドイツ特許ＤＥ１０２０１３０１２８５４Ｂ３は、電子カメラ、近接検出器又はセンサー、特に、音響センサー、によって明示されるディスプレーポジションの偏差に応じて、ポジション、環境の温度、又は巻きのレベルを変えることによって、携帯型時計のレートを訂正するように適合している手段を有する携帯型時計の支持体について記載している。
【発明の概要】
【発明が解決しようとする課題】
【００２２】
本発明は、少なくとも１つの発振器を有し、デバイス、機器又は支持体に支援されて振動する少なくとも１つの機械式携帯型時計又はムーブメントの振動数を正確に制御することを提案するものである。携帯型時計はそれぞれ、基準タイムベースにアクセスすることができる支持体に固定される。この支持体は、機械式携帯型時計に振動運動を与え、このことによって、携帯型時計のバランスばね、一般的には、携帯型時計の発振器、が基準振動数で振動するようにする。
【００２３】
本発明は、機械式共振器の振動数を制御するために、ムーブメントをケースから取り除かずに携帯型時計全体の規則的な往復運動を達成することを目的とする。
【課題を解決するための手段】
【００２４】
このために、本発明は、請求項１に記載のような、公称振動数で振動を発生させるように構成している少なくとも１つの基本発振器を有する携帯型時計又はムーブメントのディスプレー状態を訂正する方法に関する。
【００２５】
本発明は、さらに、請求項２に記載のような、公称振動数に対して初期のレート偏差量があるような振動数で振動を発生させるように構成している少なくとも１つの基本発振器を有する携帯型時計又はムーブメントのレートを調整しディスプレー状態を訂正する方法に関する。
【００２６】
本発明は、さらに、請求項３に記載のような、公称振動数に対して初期のレート偏差量があるような振動数で振動を発生させるように構成している少なくとも１つの基本発振器を有する携帯型時計又はムーブメントのレートを調整しディスプレー状態を訂正するデバイスに関する。
【００２７】
本発明は、さらに、請求項７に記載のような、公称振動数に対して初期のレート偏差量があるような振動数で振動を発生させるように構成している少なくとも１つの基本発振器を有する携帯型時計又はムーブメントのレートを調整しディスプレー状態を訂正するデバイスに関する。
【００２８】
本発明は、さらに、請求項８に記載のような、携帯型時計又はムーブメントを訂正する相互連携機能付きの支持デバイスに関する。
【００２９】
本発明は、さらに、請求項１２に記載のような、公称振動数に対して初期のレート偏差量があるような振動数で振動を発生させるように構成している少なくとも１つの基本発振器を有する携帯型時計に関する。
【００３０】
本発明は、さらに、請求項１４に記載のような、公称振動数又はその整数倍と等しい又はほぼ等しい振動数に対して基準に対するマスターレート偏差量があるような励起振動数で励起振動を発生させるように構成しているマスター発振器と、及び訂正振動数で訂正振動を発生させて携帯型時計又はムーブメントの状態を訂正するように構成しているディスプレー状態訂正発振器とを用いる、ディスプレー状態訂正デバイスを使用する方法に関する。前記携帯型時計又はムーブメントは、公称振動数で振動を発生させるように構成している少なくとも１つの基本発振器を用いる。
【００３１】
本発明は、さらに、請求項１５に記載のような、携帯型時計又はムーブメントのレートを調整しディスプレー状態を訂正するデバイスを使用する方法に関し、この携帯型時計又はムーブメントによって、公称振動数に対して初期のレート偏差量があるような振動数で振動を発生させるように構成している少なくとも１つの基本発振器を用いる。このレート調整及びディスプレー状態訂正デバイスは、公称振動数又はその整数倍と等しい又はほぼ等しい振動数に対して基準に対するマスターレート偏差量があるような励起振動数で励起振動を発生させるように構成しているマスター発振器を用いる。このレート調整及びディスプレー状態訂正デバイスは、さらに、携帯型時計又はムーブメントのレートを調整しディスプレー状態を訂正するために、訂正振動数で訂正振動を発生させるように構成しているディスプレー状態訂正発振器を用い、携帯型時計又はムーブメントは、前記公称振動数で振動を発生させるように構成している少なくとも１つの基本発振器を有する。前記携帯型時計又はムーブメントは、公称振動数で振動を発生させるように構成している少なくとも１つの基本発振器を用いる。
【００３２】
本発明は、さらに、請求項１６に記載のような、携帯型時計又はムーブメントを受ける少なくとも１つの支持体を用いて、少なくとも１つの携帯型時計又はムーブメント全体をマスター発振器が発生させる励起振動に従わせる、機械式ないし自動式携帯型時計のための自動ワインダーを使用する方法に関する。このマスター発振器は、公称振動数又はその整数倍と等しい又はほぼ等しい振動数に対して基準に対するマスターレート偏差量があるような励起振動数で振動を発生させるように構成している。
【００３３】
添付の図面を参照しながら下記の詳細な説明を読むことで、本発明の他の特徴及び利点を理解することができるであろう。
【図面の簡単な説明】
【００３４】
【図１】支持体に固定された機械式携帯型時計又はムーブメントを概略的に示している。これは、サーボデバイスの関数発生器と、及び携帯型時計の竜頭に接しているマイクロホンタイプのようなレート測定手段とによって、正確な振動数の規則的な励起振動に従う。
【図２】図１の携帯型時計についてのレートの進展を示している図である。縦座標は、１日当たりの秒数であり、横座標は、時間であって分が記載されている。横座標は、初期の時点から始まり、サーボデバイスの発動に対応する険しい傾斜領域、そして、励起振動数における支持体の振動にまで及んでいる。この傾斜領域の後に、遷移段階が続き、この遷移段階にてレート偏差が素早く反転する。そして、安定した非常に低く実質的にゼロであるレート偏差量に達するまで着々と減少する。
【図３】単純になるように遷移段階のみを示した図２と同様な図であり、励起が開始した時点における励起段階の効果を示している。これによって、外観が異なるいくつかの曲線が発生し、これらの曲線のすべてが等しく、遷移段階の終わりにおけるゼロ値の辺りにて安定化の方向に向かっている。
【図４】図１の携帯型時計の状態の進展を示している図であり、縦座標は秒、横座標は時間であり分を示している。実線は、サーボ制御されていない変種、破線は、サーボとディスプレー状態訂正デバイスを備えたサーボ制御されている変種を示している。
【図５】基準発振器を有し、必要であれば振動数変換器を有する携帯型時計又はムーブメントのレートを調整するデバイスの概略図である。これは、励起振動数にドライバーをアクチュエートし、ドライバーは、基本発振器を有する携帯型時計又はムーブメントを支える支持体を駆動する。
【図６】時間の関数としてディスプレー状態の訂正の進展を示している図である。
【図７】携帯型時計のディスプレー状態の訂正のブロック図であり、これは、認識手段と接続されるカメラのような携帯型時計の状態を測定する手段と、絶対的な状態基準に対して比較することによって状態の差を計算するセルと、振動数と訂正時間を計算するセルと、及び携帯型時計のレートのサーボ制御のためのデバイスとを有する。
【発明を実施するための形態】
【００３５】
ここで、サーボデバイスによって、以下において「基本発振器」と呼ぶ発振器を少なくとも１つ有する少なくとも１つの携帯型時計又は機械式ムーブメントの振動数を制御して、その発振器を、基準、特に、絶対的な基準、を生成することができるいわゆる「絶対的な」発振器に対して、そして、絶対的な発振器と基本発振器の間の中間的な品質の「マスター発振器」と呼ばれる発振器に対して、区別する。非常に高い精度の時計については、本発明の一部を形成しないが、基準振動数を発生させる絶対的な発振器によって基準クロックを形成することができるものについて言及する。
【００３６】
本発明は、完全な携帯型時計であることができる計時器にも、携帯型時計のヘッド部にも、ムーブメントにも、同様に適用されることができる。説明を単純化するために、用語「携帯型時計」をこれらの物のいずれをも意味するように無差別的に用いる。携帯型時計全体に適用されるものはすべて、ムーブメント全体にも直接適用可能であり、その逆も可能である。
【００３７】
革新的な形態で、携帯型時計はそれぞれ、支持体に固定され、この支持体は、基準タイムベースにつながれる。この支持体は、機械式携帯型時計に振動運動を与え、この携帯型時計は、この携帯型時計が備える基本発振器、特に、バランス／バランスばね、が基準振動数で振動するようにする。
【００３８】
特に、分解されたことがない携帯型時計全体に規則的な往復運動が与えられて、その機械式共振器の振動数を制御する。
【００３９】
サーボデバイスは、タイムベースを有する。このタイムベースは、機械式携帯型時計のものよりも正確でなければならない。したがって、このタイムベースは、エラーが１日当たり１秒未満でなければならず、好ましくは、１日当たり０．１秒未満でなければならない。これは、温度補償された水晶発振器によって達成することができる。なお、これに限定されない。また、巧妙に作られた機械的な振り子も、このような精度を達成することができる。
【００４０】
図２に示すように、サーボデバイスによって携帯型時計を制御することによって、必要な遷移的な同期レジームに続く携帯型時計がサーボデバイスにリンクされている期間に携帯型時計のレート偏差を打ち消すことが可能になる。この図２は、１日当たり約１５秒のレートの初期偏差を携帯型時計がディスプレーするような実験室の測定から抽出されたものである。
【００４１】
サーボデバイスが開始すると、数分の遷移段階の間にレート偏差がずれ、そして、約１０分後に１日当たりゼロ秒に収束する。
【００４２】
このふるまいはモデル化され、図３は、遷移段階における曲線の形が遷移段階が開始した時点にて励起段階に依存することを示している。図２は、移相値πに対応している。これは実際に最悪のケースである。パラメーターの空間を探索することによって、同期が行われるためには励起の差が特定のしきい値を超えなければならず、ノッキングを回避するためには大き過ぎではあってはならないことがわかる。大きなレート偏差は、励起の差を大きくすることによって打ち消すことができる。
【００４３】
したがって、第１の展開は、公称振動数Ｎ０で振動を発生させるように構成している少なくとも１つの基本発振器を有する携帯型時計のレートを調整する方法に関する。
【００４４】
「公称振動数Ｎ０」は、関心事の携帯型時計又はムーブメントの発振器が動作することになっている目標振動数値を意味する。
【００４５】
革新的な形態で、この公称振動数Ｎ０又はその整数倍と等しい又はほぼ等しい励起振動数ＮＥで励起振動を発生させるように構成しているマスター発振器を有するサーボデバイスを用いる。好ましくは、基準に対するマスターレート偏差量ＡＭが、初期のレート偏差量ＤＩよりも小さい。特に、この基準は、絶対的基準であり、レート偏差が、１日当たり１秒未満であり、好ましくは、１日当たり０．１秒未満、である。
【００４６】
特に、このマスター発振器は、公称振動数Ｎ０の奇数倍と等しい又はほぼ等しい励起振動数ＮＥで励起振動を発生させるように構成している。
【００４７】
この携帯型時計全体は、少なくとも遷移段階の間に、制御デバイスの発動の初期の時点の後に、励起振動数ＮＥにて、マスター発振器が発生させる励起振動、及び／又はマスター発振器が発生させる変調された運動に従う。この遷移段階の終わりにて、携帯型時計又はムーブメントの発振器の振動数が、振動数ＮＥで安定化する。そして、マスター発振器に従う携帯型時計の発振器のレートが、マスター値ＡＭ以下のレート偏差量で安定化される。
【００４８】
特に、携帯型時計の基本発振器の初期のレート偏差量ＤＩは、前もって測定ないし評価され、初期のレート偏差量ＤＩよりも小さい基準に対するマスターレート偏差量ＡＭを有するこのマスター発振器が選択され、用いられる。特に、上に定められているように、この基準は絶対的基準である。マスタームーブメントのレート及び基礎的なスレーブムーブメントのレートは、非常に高い精度のクロックに対して測定される。このクロックは、本発明の一部を形成しない。
【００４９】
特に、サーボデバイスは、関心事の携帯型時計の基本発振器の可動部分の軸と平行な軸又は一致する軸のまわりで、励起振動を発生させるように構成している。励起振動は、好ましくは、小さい角振幅のストロークを有する。例えば、±５°であり、さらに小さいことができ、例えば、±２°である。
【００５０】
図２の例にて用いられている第１の変種において、励起振動は、往復運動の形態となっている。
【００５１】
別の変種において、マスター発振器は、関心事の携帯型時計又はムーブメントに変調された運動、例えば、ジャンプによって分離される一方向の運動、を与える励起振動を発生させる。
【００５２】
短く書くと、これは、サーボデバイスのマスター発振器がマスターであり、携帯型時計が備える基本発振器がスレーブであるようなマスター／スレーブシステムである。
【００５３】
また、この第１の展開は、さらに、少なくとも１つの基本発振器を有する携帯型時計のレートを調整するようなサーボデバイスに関する。これは、初期の測定されたレート偏差量ＤＩで、公称振動数Ｎ０で振動を発生させるように構成している。
【００５４】
革新的な形態で、このサーボデバイスは、公称振動数Ｎ０又はその整数倍、特に、奇数倍、に等しく又はほぼ等しい振動数に対して初期のレート偏差量ＤＩよりも小さい基準に対するマスターレート偏差量ＡＭがあるような励起振動数ＮＥで励起振動を発生させるように構成しているマスター発振器を有する。特に、この基準は、上に定められているような絶対的基準であり、レート偏差は、１日当たり１秒未満であり、又は１日当たり０．１秒未満である。このサーボデバイスは、携帯型時計全体が、このマスター発振器が発生させる励起振動及び／又はマスター発振器が発生させる変調運動に従うように構成している。
【００５５】
好ましい実施形態において、図５に示すように、サーボデバイスは、励起振動数ＮＥでドライバー４をアクチュエートさせるために、基準発振器６、そして必要であれば、振動数変換器５を有する。
【００５６】
このドライバー４は、サーボ制御される携帯型時計２を担持している支持体３に、基準軸のまわりの、運動、特に、往復運動、を与える。ここで、好ましくは、携帯型時計２の基本発振器１の振動する部分の軸が、基準軸と平行であり又は基準軸と一致している。
【００５７】
振動角度αは、時間の関数であり、規則的である。特に、振動角度αは、α（ｔ）＝Ａ・sin（２π・ＮＥ）などの形態である。また、振動角度αは、正方形、のこぎり歯などのサイクルに従うことができる。
【００５８】
このようなサーボデバイスは、公称振動数Ｎ０に対してこの特定の励起振動数ＮＥを選択することによって、携帯型時計のレートを調整することができる。また、下に示すように、この同じデバイスを励起振動数ＮＥではなく、訂正振動数ＮＣで用いることもできる。
【００５９】
特に、このサーボデバイスは、マスター発振器の励起振動を制御するように構成しており、携帯型時計のレートを測定する手段と接続しており、このサーボデバイスに含まれているような制御手段を有する。
【００６０】
一般的には、ここで説明している制御手段、主制御手段、中央制御手段は、コンピューター、計算器、プログラマブルコントローラー、集積回路、又はアプリケーションに適合する任意の他の人工知能手段によって形成することができる。
【００６１】
特定の実施形態において、このサーボデバイスは、機械式携帯型時計又は自動携帯型時計用の自動ワインダーを有し、これに、携帯型時計又はムーブメントを受ける少なくとも１つの支持体などが固定される。サーボデバイスは、この支持体上に、携帯型時計全体にマスター発振器が発生させる励起振動に従わせるように構成している励起手段、及び／又は携帯型時計全体にこのマスター発振器が発生させる変調運動に従わせるように構成している駆動手段を有する。
【００６２】
特に、この方法の実装を通して、安定化の前及び／又は後に、少なくとも１回のレート測定が行われる。さらに、この目的のために設けられたディスプレー又は編集手段にて、測定されたレート偏差量がディスプレー又は編集される。
【００６３】
なお、レート調整は一時的なものであり、サーボ制御は一時的なものであり、かつ、携帯型時計は、サーボデバイスのマスター発振器が発生させる励起振動に従い続ける。
【００６４】
この第１の展開が進みと遅れの両方を打ち消すことができることに注目することは重要である。実際に、一部の携帯型時計は、速く稼働するように設計されたセッティングの状態で工場から出荷され、他の携帯型時計においては、ゼロ値が中心となるようにセッティングされるものもある。このことは、このような携帯型時計は時間が進んだり遅れたりすることを意味している。このように、速い携帯型時計を遅くし、遅い携帯型時計を速くすることができる。なお、既に適切にセットされている携帯型時計のレートは変更されない。
【００６５】
このサーボ制御を、ムーブメントの最適な巻きに加えて、順次的に又は同時に、行うことができる。
【００６６】
第２の展開において、ディスプレー状態のエラーを訂正するために、この第１の展開を利用すると有利である。
【００６７】
実際に、サーボデバイスを用いるこのレート調整方法によって、レート偏差を１日当たりゼロ秒の方に動かすことが可能になる。しかし、ディスプレーエラーの状態を訂正するために、携帯型時計発振器を別の振動数に従わせるためにこの原理を用いることもできる。例えば、１日当たり９０秒未満である。このディスプレー状態のエラーは、測定され手動で入力される値、あるいは針又はディスプレーメンバーのポジションを認識する画像処理を行うカメラのようなビジョンシステムによって識別される値のいずれかである。
【００６８】
例えば、携帯型時計の時間は、午前７時に完璧にセットされ、そして、携帯型時計は、１日当たり＋１２秒の一定のレート偏差で、一日中着用され、約＋７．５秒のディスプレー状態のエラーが、同じ日の午後１０時に測定される。ユーザーは、レートサーボ制御デバイスによってレート調整方法を実装することができる。
【００６９】
このサーボデバイスは、翌日の夜間にわたって、携帯型時計に対して、与えられたレートを強いることができる。これは、必ずしもゼロではない。例えば、サーボデバイスが携帯型時計に２時間、１日当たり９０秒未満のレート偏差を強いる場合、携帯型時計のディスプレー状態は、この２時間の後に再び正確になる。
【００７０】
このディスプレー状態の訂正を行った後で、デバイスは、ユーザーが携帯型時計を取り戻すまで、１日当たり０秒のレート偏差にすることができる。このようにして、携帯型時計の時間は朝に完璧にセットされる。一晩後に１日当たり＋１２秒あったであろうディスプレー状態のエラーが携帯型時計にないことだけではなく、前日に着用していたときに蓄積していた７．５秒の進みを訂正することもできている。下の表はこの例をまとめている。
【００７１】
【表１】
2018200309.tif 000003
【００７２】
当然、本発明を用いない場合、このディスプレー状態のエラーは、時間にわたって蓄積して、ユーザーが手動で携帯型時計の時間をリセットしなければ、１か月当たり数分に達することがある。
【００７３】
図４は、本発明を用いる場合と用いない場合の比較テスト結果を示している。この例において、携帯型時計は、自動ワインダー又は他の手段によって巻かれていない調整も変更もされていない市販の認証されたクロノメーターである。この携帯型時計のバレルは、ちょうど２日間（すなわち、約１９００００秒）でアンワインドする。この携帯型時計のディスプレー状態は、携帯型時計技師や時計技師によって用いられるタイプの精密機器を用いて測定される。ディスプレー状態の測定は、本発明に係るサーボ管理状態においては点線のように、そして、本発明を用いない自由状態においては実線のように、アンワインド期間全体にわたって行われる。図４は、本発明を用いなければ、携帯型時計又はムーブメント、そしてクロノメーターでさえも、そのバレルがアンワインドするにしたがって、大きな遅れを蓄積してしまい、本発明を用いれば、その状態を０秒の非常に近くに維持することができる。
【００７４】
したがって、第２の展開は、公称振動数Ｎ０で振動を発生させるように構成している少なくとも１つの基本発振器を有する携帯型時計のディスプレー状態を訂正する方法に関する。
【００７５】
このディスプレー状態訂正方法にしたがって、初期のレート偏差量ＤＩが測定ないし評価される。携帯型時計に対してディスプレー状態のエラーが測定される。
【００７６】
ディスプレー状態訂正デバイスの発動の初期の時点の後のディスプレー状態訂正段階の間に、訂正振動数ＮＣで振動を発生させて、携帯型時計全体に振動及び／又は運動を与えるように構成しているディスプレー状態訂正発振器を有するディスプレー状態訂正デバイスを用いる。ディスプレー状態訂正段階の持続期間は、発動の初期の時点において携帯型時計に対して測定ないし評価されたディスプレー状態のエラーを正確に訂正するように調整される。
【００７７】
特に、この基本発振器の初期のレート偏差量ＤＩが測定され、基準に対するレート偏差量を有するディスプレー状態訂正発振器を有するディスプレー状態訂正デバイスが選択されて用いられる。この値は、初期のレート偏差量ＤＩよりも小さい。特に、この基準は、上に定められているような絶対的基準である。
【００７８】
もちろん、ディスプレー状態訂正デバイスは、必要な訂正振動数ＮＣを得る振動数生成手段を有することを前提に、上に示したサーボデバイスであることができる。
【００７９】
状態偏差Ｅを訂正するように訂正振動数ＮＣにて振動を与えなければならない持続時間Ｄは、関係、Ｄ（ｔf−ｔi）＝Ｅ／（ＮＣ−Ｎ０）によって定められる。
【００８０】
しかし、当然、訂正振動数ＮＣを無計画に選択してはならない。なぜなら、訂正振動数ＮＣは共振振動数から不必要に離れてはならないからである。実際上、差（ＮＣ−Ｎ０）は、１日当たり±１００秒までに抑えることが好ましい。
【００８１】
ディスプレー状態の訂正をレート調整とは独立に実装して、ディスプレー状態訂正デバイスを利用することができる。
【００８２】
このディスプレー状態訂正デバイスは、公称振動数Ｎ０に対して測定された初期のレート偏差量ＤＩがあるような振動数で振動を発生させるように構成している少なくとも１つの基本発振器を有する携帯型時計の状態を訂正するように構成している。この第２の展開において、このディスプレー状態訂正デバイスは、訂正振動数ＮＣで訂正振動を発生させるように構成しているディスプレー状態訂正発振器を有する。このディスプレー状態訂正デバイスは、携帯型時計全体が、ディスプレー状態訂正発振器が発生させる訂正振動及び／又はこのディスプレー状態訂正発振器が発生させる変調運動に従うように構成している。
【００８３】
特に、このディスプレー状態訂正デバイスは、ディスプレー状態訂正発振器の振動を制御するように構成している制御手段を有しており、この制御手段は、ディスプレー状態訂正デバイスが備える携帯型時計の状態を測定する手段と接続している。
【００８４】
好ましいことに、この制御手段は、ディスプレー状態訂正の持続時間のユーザーによる手動エントリーのための手段と接続しており、及び／又はこの持続時間を公称振動数Ｎ０、訂正振動数ＮＣ及び測定された状態偏差の値の関数として計算するように構成している。
【００８５】
特に、携帯型時計の状態を測定する手段は、光学的ビジョン手段であり、これは、好ましいことに、画像処理手段によって補われる。この画像処理手段は、特に、携帯型時計の針又はディスプレーメンバーの位置、又はムーブメントの車セットにあるマークの位置を認識する。
【００８６】
自動画像処理手段がない変種の１つにおいて、ディスプレー状態訂正デバイスは、ディスプレー状態訂正発振器の訂正振動を制御するように構成している制御手段を有する。この制御手段は、キーボード、タッチインタフェースのような、ディスプレーされる時間又は状態偏差のユーザーによる手動エントリーのための手段と接続され、あるいは前記のような手動エントリーの手段を備える移動体電話、「スマートフォン」、「iPhone（登録商標）」などの無線通信手段によって接続される。
【００８７】
図７は、このような携帯型時計２のディスプレー状態を訂正するためデバイスを１つ示しており、これは、認識手段１１と接続している、カメラのような携帯型時計の状態を測定する手段１０と、状態基準１３と比較することによって状態の差を計算するセル１２と、振動数及び訂正持続時間を計算するセル１４と、及びレートサーボ制御デバイス１５とを有する。特に、この状態基準１３は、上で定められているように絶対的基準である。
【００８８】
特定の実施形態において、このディスプレー状態訂正デバイスは、携帯型時計又はムーブメントを受ける少なくとも１つの支持体を備えた機械式ないし自動式携帯型時計用の自動ワインダーを有し、このディスプレー状態訂正デバイスは、この支持体が、携帯型時計又はムーブメント全体にこのディスプレー状態訂正発振器が発生させる訂正振動に従うように構成している励起手段、及び／又は携帯型時計又はムーブメント全体をディスプレー状態訂正発振器が発生させる変調運動に従わせるように構成しているドライブ手段を有する。
【００８９】
本発明は、少なくとも１つの基本発振器を有する携帯型時計のレートを調整しディスプレー状態を訂正する方法の形態の上記の２つの行為を組み合わせることができる。この基本発振器は、初期のレート偏差量がＤＩであり公称振動数Ｎ０で振動を発生させるように構成しており、ディスプレー状態訂正段階及び２つの対応する基本的方法の遷移段階が１つずつ少なくとも部分的に実行される。
【００９０】
そして、本発明は、測定された初期のレート偏差量がＤＩであり公称振動数Ｎ０で振動を発生させるように構成している少なくとも１つの基本発振器を有する携帯型時計のためのレート調整及びディスプレー状態訂正デバイスを実装する。本発明によると、このレート調整及びディスプレー状態訂正デバイスは、このようなサーボデバイスを少なくとも１つとこのようなディスプレー状態訂正デバイスを少なくとも１つと、及びマスター発振器の励起振動を制御しするように構成しておりサーボデバイスに設けられた携帯型時計のレート偏差を測定する手段と接続しておりディスプレー状態訂正発振器の訂正振動を制御しこのディスプレー状態訂正デバイスに設けられた携帯型時計の状態を測定する手段と接続しているメイン制御手段とを有する。
【００９１】
特に、このレート調整及びディスプレー状態訂正デバイスは、少なくとも１つの前記のような支持体が固定される機械式ないし自動式携帯型時計のための少なくとも１つの自動ワインダーを有している。
【００９２】
本発明は、さらに、少なくとも１つの前記のようなサーボデバイスを有する携帯型時計を訂正するための相互連携機能付きの支持デバイスに関し、この相互連携機能付きの支持デバイスは、サーボデバイスに従うすべての携帯型時計を同じレート偏差量に調整する中央レート制御手段を有する。
【００９３】
特に、この携帯型時計を訂正する相互連携機能付きの支持デバイスは、前記のようなディスプレー状態訂正デバイスを少なくとも１つ有し、この相互連携機能付きの支持デバイスは、ディスプレー状態訂正デバイスに従うすべての携帯型時計を同じ状態値に調整する中央状態制御手段を有する。
【００９４】
さらに特に、この相互連携機能付きの支持デバイスは、中央レート制御手段及び中央状態制御手段を形成又は調整するメイン制御手段を有する。
【００９５】
特に、この相互連携機能付きの支持デバイスは、携帯型時計又はムーブメントを受ける少なくとも１つの支持体が固定された、機械式ないし自動式携帯型時計用の少なくとも１つの自動ワインダーを有する。
【００９６】
有利なアプリケーションにおいて、この相互連携機能付きの支持デバイスは、携帯型時計及び／又はムーブメントをユーザー又は公衆にディスプレーするディスプレーユニットである。
【００９７】
また特に、このディスプレーユニットは、同じ公称振動数Ｎ０を有する複数の携帯型時計及び／又はムーブメントを受けるように設計されている。
【００９８】
例えば、携帯型時計が同じ場合、単一システムによって、携帯型時計が異なる場合（セッティング、モデル、ブランドなど）、別々のコマンドによって、様々な携帯型時計をサーボ制御することができる。
【００９９】
また、異なるカテゴリーを有することができ、したがって、サーボ制御及び／又はディスプレー状態訂正がカテゴリーの間で、又は必要であれば携帯型時計の間で、異なる。
【０１００】
本発明は、さらに、公称振動数Ｎ０に対して初期の測定されたレート偏差量ＤＩがあるような振動数で振動を発生させるように構成している少なくとも１つの基本発振器を有する携帯型時計に関する。この携帯型時計は、このようなサーボデバイスを少なくとも１つ有する携帯型時計用バンドを有する。
【０１０１】
特に、携帯型時計用バンドは、少なくとも１つのディスプレー状態訂正デバイスを有する。しかし、これを組み入れることははるかに難しい。したがって、特に、携帯型時計用バンドに組み入れられたこのディスプレー状態訂正デバイスは、ディスプレー状態訂正発振器の訂正振動を制御するように構成している制御手段を有しており、この制御手段は、キーボードやインタフェースのような、ディスプレーされる時間又は状態偏差についてのユーザーによる手動エントリーのための手段と接続しており、あるいは又はこのような手動エントリーの手段を有する、移動体電話、スマートフォン、iPhoneのような通信手段と接続している。
【０１０２】
特定の実施形態は、携帯型時計のヘッド部、振動するサーボシステム及びエネルギー源に加えて、携帯型時計用バンドに関する。
【０１０３】
別の実施形態において、この携帯型時計は、そのプレートを公称振動数Ｎ０又はその整数倍、特に、奇数倍、で共振させる手段を有する。
【０１０４】
本発明は、さらに、公称振動数Ｎ０又はその整数倍、特に、奇数倍、と等しい又はほぼ等しい振動数に対して基準に対するマスターレート偏差量ＡＭがあるような励起振動数ＮＥで振動を発生させるように構成しているマスター発振器を用いて、携帯型時計のレートを調整する、サーボデバイスを使用する方法に関する。特に、上に定められているように、この基準は絶対的基準であり、レート偏差は、１日当たり１秒未満であり、好ましくは、１日当たり０．１秒未満である。この携帯型時計は、公称振動数Ｎ０に対して任意の初期のレート偏差量ＤＩがあるような振動数で振動を発生させるように構成している少なくとも１つの基本発振器を用いる。このレート調整は、マスター値ＡＭ以下のレート偏差量にて携帯型時計発振器のレート偏差を安定させるために十分な持続時間の間、携帯型時計全体をマスター発振器が発生させる励起振動及び／又はマスター発振器が発生させる変調運動に従わせることによって行われる。
【０１０５】
本発明は、さらに、公称振動数Ｎ０又はその整数倍、特に、奇数倍、と等しい又はほぼ等しい振動数に対して基準に対するマスターレート偏差量ＡＭがあるような励起振動数ＮＥで振動を発生させるように構成しているマスター発振器と、及び訂正振動数ＮＣで訂正振動を発生させるように構成しており携帯型時計のディスプレー状態を訂正するディスプレー状態訂正発振器とを用いて、ディスプレー状態訂正デバイスを使用する方法に関する。特に、この基準は、上に定められているような絶対的基準である。この携帯型時計は、前記公称振動数Ｎ０に対して任意の初期のレート偏差量ＤＩがあるような振動数で振動を発生させるように構成している少なくとも１つの基本発振器を用いる。このディスプレー状態訂正は、必要な携帯型時計又はムーブメントの状態訂正を行うために十分な持続時間の間、携帯型時計全体をディスプレー状態訂正発振器が発生させる訂正振動及び／又はディスプレー状態訂正発振器が発生させる変調運動に従わせることによって行われる。
【０１０６】
本発明は、さらに、携帯型時計のレートを調整しディスプレー状態を訂正するデバイスを使用する方法に関する。このレート調整及びディスプレー状態訂正デバイスは、携帯型時計のレートを調整するために、公称振動数Ｎ０又はその整数倍、特に、奇数倍、と等しい又はほぼ等しい振動数に対して基準に対するマスターレート偏差量ＡＭがあるような励起振動数ＮＥで励起振動を発生させるように構成しているマスター発振器を用いる。特に、上に定められているように、この基準は絶対的基準であり、レート偏差は、１日当たり１秒未満であり、好ましくは、１日当たり０．１秒未満である。この携帯型時計は、公称振動数Ｎ０に対して任意の初期のレート偏差量ＤＩがあるような振動数で振動を発生させるように構成している少なくとも１つの基本発振器を用いる。このレート調整は、マスター値ＡＭ以下のレート偏差量にて携帯型時計発振器のレート偏差を安定させるために十分な持続時間の間、携帯型時計全体をマスター発振器が発生させる励起振動及び／又はマスター発振器が発生させる変調運動に従わせることによって行われる。レート調整及びディスプレー状態訂正デバイスは、携帯型時計の状態の必要な訂正を行うために十分な持続時間の間、携帯型時計全体をディスプレー状態訂正発振器が発生させる訂正振動及び／又はディスプレー状態訂正発振器が発生させる変調運動に従わせることによって、携帯型時計の状態を訂正するために訂正振動数ＮＣで振動を発生させるように構成しているディスプレー状態訂正発振器を用いる。
【０１０７】
本発明は、さらに、携帯型時計又はムーブメントなどを受ける少なくとも１つの支持体を用いて、少なくとも１つの携帯型時計全体をマスター発振器が発生させる励起振動に従わせて、機械式ないし自動式携帯型時計のための自動ワインダーを使用する方法に関する。このマスター発振器は、携帯型時計のレートを調整するために、公称振動数Ｎ０又はその整数倍、特に、奇数倍、と等しい又はほぼ等しい振動数に対して基準に対するマスターレート偏差量ＡＭがあるような励起振動数で励起振動を発生させるように構成している。特に、上に定められているように、この基準は絶対的基準であり、レート偏差は、携帯型時計のレートを調整するために、１日当たり１秒未満であり、好ましくは、１日当たり０．１秒未満である。この携帯型時計は、前記公称振動数Ｎ０に対して任意の初期のレート偏差量ＤＩがあるような振動数で振動を発生させるように構成している少なくとも１つの基本発振器を用いる。
【０１０８】
この自動ワインダーは、携帯型時計全体をマスター発振器及び／又は駆動手段が発生させる励起振動に従わせるように構成している励起手段を有する。この駆動手段は、携帯型時計全体をマスター発振器が発生させる変調運動に従わせるように構成している。このレート調整は、マスター値ＡＭ以下のレート偏差量で携帯型時計発振器のレート偏差を安定させるために十分な持続時間の間、携帯型時計全体をマスター発振器が発生させる励起振動及び／又はマスター発振器が発生させる変調運動に従わせることによって行われる。レート調整及びディスプレー状態訂正デバイスは、携帯型時計の状態の必要な訂正を行うために十分な持続時間の間、携帯型時計全体をディスプレー状態訂正発振器が発生させる訂正振動及び／又はディスプレー状態訂正発振器が発生させる変調運動に従わせることによって、携帯型時計の状態を訂正するために訂正振動数ＮＣで振動を発生させるように構成しているディスプレー状態訂正発振器を有する。
【０１０９】
なお、レート調整及びディスプレー状態の訂正が同時に行われないことがわかるであろう。しかし、これらの両方を、短くなった時限、例えば、一晩で、あるいはユーザーが自身の携帯型時計を必要としない時間の間、順次的に行うことができる。
【０１１０】
本発明には、以下のようないくつかの著しい利点がある。
−  本発明の実装は、機械式であり、同軸であり、又はスイス式レバーエスケープを有するような発振器を備えた少なくとも１つの共振器を有するすべての機械式携帯型時計と相性が良い。
−  本発明の実装には、携帯型時計内へのいずれの介入をも必要とせず、特に、ケースを開くことを必要としない。
−  携帯型時計又はムーブメントは、その支持体上にて任意の角位置にあることができる。
−  自動ワインダーを有するサーボ又はディスプレー状態訂正デバイスの実装の場合には、機械式ないし自動式携帯型時計が巻いてある状態を維持することができ、また、時間が完璧にセットされていることができる。
−  特定の時間にわたって逆のレート偏差を与えることによって、ディスプレー状態のエラーを訂正することができる。
−  また、遅く動き１日当たり数秒の遅くなるレートを有する携帯型時計を訂正することもできる。
−  ゼロのレート偏差のサーボ制御の原理は、必ずしもフィードバックを必要とせず、ディスプレー状態の訂正には、ディスプレーメンバー又は針の状態についての知識が必要となる。これは、特に、ビジョン手段によって得る。
−  ユーザーは、自由に、かつ、可逆的な形態で、そのユーザーの携帯型時計を速くするか遅くするかを決めることができる。
【０１１１】
もちろん、本発明は、携帯型時計を開かずケースからムーブメントを分離せずにレート調整及びディスプレー状態訂正をするように設計されているが、アプリオリにムーブメントにも適用することができる。
【０１１２】
特定の変種において、明らかに通常の電子携帯型時計のレート偏差よりも相当に低いレート偏差を有するマスター発振器を備える電子携帯型時計のレートの調整に本発明を適用することができる。
【符号の説明】
【０１１３】
１  基本発振器
２  携帯型時計
３  支持体
４  ドライバー
５  振動数変換器
６  基準発振器
１０  携帯型時計の状態を測定する手段
１１  認識手段
１２  状態の差を計算するセル
１３  状態基準
１４  振動数及び訂正持続時間を計算するセル
１５  レートサーボ制御デバイス
【図１】
2018200309.tif 000004
【図２】
2018200309.tif 000005
【図３】
2018200309.tif 000006
【図４】
2018200309.tif 000007
【図５】
2018200309.tif 000008
【図６】
2018200309.tif 000009
【図７】
2018200309.tif 000010